(57)【要約】【課題】ブラシが植毛されているヘッド部（ブラシ部）から蒸気を噴射可能とし、例えば、口腔内が乾燥している場合等において、歯磨き前や歯磨き中に、口腔内に適度な湿り気を与える。【解決手段】通孔を有する歯ブラシと、蒸気発生器と、該蒸気発生器に発生された蒸気を前記歯ブラシに送給する蒸気送給ホースから成り、前記蒸気発生器で発生された蒸気を前記歯ブラシのブラシ部より噴射する。歯ブラシ１０は、通孔１５を有する握持部と、該握持部の先端部に着脱自在にかつ該握持部に対して略直角の軸心を中心に回動自在に取り付けられ、前記握持部の通孔に連通する通孔を有するブラシ部１２とから成り、該通孔１５，１６を通して前記ブラシ部１２より蒸気を噴射する。１７は通孔１５に連通した外気吸入孔で、通孔１５内を通る蒸気の温度を調節する。【選択図】図１
2005185410.tif 000002
【特許請求の範囲】
【請求項１】
通孔を有する歯ブラシと、蒸気発生器と、該蒸気発生器で発生された蒸気を前記歯ブラシに送給する蒸気送給ホースとから成り、前記蒸気発生器で発生された蒸気を前記蒸気送給を通して前記歯ブラシに送給して該歯ブラシのブラシ部より噴射するようにした蒸気噴射機能付き歯ブラシ装置であって、前記歯ブラシは、前記通孔を有する握持部と、該握持部の先端部に着脱自在にかつ該握持部に対して略直角の軸心を中心に回動自在に取り付けられ前記握持部の通孔に連通する通孔を有するブラシ部とから成り、該通孔を通して前記ブラシ部より蒸気を噴射するようにしたことを特徴とする蒸気噴射機能付き歯ブラシ装置。
【請求項２】
前記ブラシは歯牙の上面に対向する上板と、該上板と一体の前板及び後板とを有し、該上板と前後板の内側にブラシが植毛されていることを特徴とする請求項１に記載の蒸気噴射機能付き歯ブラシ装置。
【請求項３】
前記握持部は該握持部の通孔に連通する外気吸入孔を有することを特徴とする請求項１又は２に記載の蒸気噴射機能付き歯ブラシ装置。
【発明の詳細な説明】
【技術分野】
【０００１】
本発明は、ブラシが植毛されているブラシ部（ヘッド部）から蒸気を噴射可能とした蒸気噴射機能付き歯ブラシ装置に関し、例えば、口腔内が乾燥している場合等において、歯磨き前や歯磨き中に、口腔内に適度な湿り気を与え、更には、温かい蒸気を噴射して口腔内疾患を回復し、更には、歯肉の緊張を緩めて歯周ポケット内の清掃をしやすくした蒸気噴射機能付き歯ブラシ装置に関する。
【背景技術】
【０００２】
図３は、本出願人が先に提案した歯ブラシを分解して示す斜視図で、図中、１０は歯ブラシ、１１は握持部（柄部）、１２はブラシ部（ヘッド部）で、該握持部１１とヘッド部１２は着脱可能であり、かつ、ヘッド部１２は握持部１１に対し回動可能となっている。具体的には、握持部（柄部）１１はその先端部１１ａにおいて略直角に曲げられ、この直角に曲げられた部分１１ａの軸方向にヘッド部１２を取り付けるための連結穴１１ｂが設けられており、この連結穴１１ｂに、ヘッド部１２に設けられた連結軸１２ａが着脱自在に挿入され、Ｏリング１３によって脱落しないように装着され、これによって、ヘッド部１２は握持部１１に対して着脱自在にかつ回動可能に取り付けられる。
【０００３】
ヘッド部１２は、歯牙２０の上に配置される上板１２1と、該上板１２1の前後において、歯牙２０を挟むように配置された前板（頬側）１２2と、後板（舌側）１２3とから成り、これら上板１２1及び前後板１２2、１２3の内側には、それぞれブラシ１４1、１４2、１４3が植毛されており、これらブラシ１４1、１４2、１４3がそれぞれ歯牙２０の上面、前面（頬側）、及び、後面（舌側）に接触して、歯牙２０の表面を清掃する。ヘッド部１２は、上板１２1及び前後板１２2、１２3により、略コの字状に形成され、下部及び両側部が開口しており、従って、上板１２1及び前後板１２2、１２3によって、歯牙２０を上方及び前後の３方から覆いながら、歯列に沿って移動することが可能であり、歯列に沿って移動する時に、ヘッド部１２が歯ブラシの移動に従って回動するので、歯列全体について、握持部１１を持ち替えることなく清掃することができる。
【０００４】
図４は、図３に示した歯ブラシの要部断面図で、図中、１５は握持部（柄部）１１に設けられた通孔、１６はヘッド部１２の連結軸１２ａ及び上板１２1、前後板１２2、１２3等に設けられた通孔で、これら通孔１５、１６を通して洗浄水や薬液を供給しながら歯牙の清掃をすることができ、より効果的に歯牙の清掃を行うことができるようになっている。
【０００５】
図５は、図３，図４に示した歯ブラシの使用状態の一例を示す図で、図中、３０は洗浄水（又は薬液）ボトル３１及び該洗浄水（又は薬液）ボトル３１内の洗浄液又は薬液を送出するためのポンプ又はコンプレッサ等を有する装置本体で、該装置本体３０から送出された洗浄水又は薬液は給水（又は給液）ホース３２を通して、図３，図４に示した歯ブラシ１０に送給され、前述の通孔１５、１６を通して、ヘッド部１２より放射される。
【発明の開示】
【発明が解決しようとする課題】
【０００６】
本発明は、上述のごとき、本出願人が先に提案した歯ブラシ装置を更に改良して、歯ブラシで清掃する前や清掃しながら蒸気（スチーム）を出すことにより、例えば、口腔内が乾燥している場合に、適度な湿り気を与えることができ、更には、温かい蒸気（スチーム）を出すことにより血行を良くして口腔内疾患の回復を促し、更には、歯肉の緊張を緩めて歯周ポケット内の清掃をしやすくすること等を目的としてなされたものである。
【課題を解決するための手段】
【０００７】
請求項１の発明は、通孔を有する歯ブラシと、蒸気発生器と、該蒸気発生器で発生された蒸気を前記歯ブラシに送給する蒸気送給ホースとから成り、前記蒸気発生器で発生された蒸気を前記蒸気送給を通して前記歯ブラシに送給して該歯ブラシのブラシ部より噴射するようにした蒸気噴射機能付き歯ブラシ装置であって、前記歯ブラシは、前記通孔を有する握持部と、該握持部の先端部に着脱自在にかつ該握持部に対して略直角の軸心を中心に回動自在に取り付けられ前記握持部の通孔に連通する通孔を有するブラシ部とから成り、該通孔を通して前記ブラシ部より蒸気を噴射するようにしたことを特徴としたものである。
【０００８】
請求項２の発明は、請求項１の発明において、前記ブラシは歯牙の上面（咬合面）に対向する上板と、該上板と一体の前（頬側）板及び後（舌側）板とを有し、該上板と前後板の内側（歯牙に対向する側）にブラシが植毛されていることを特徴としたものである。
【０００９】
請求項３の発明は、請求項１又は２の発明において、前記握持部は該握持部の通孔に連通する外気吸入孔を有することを特徴としたものである。
【発明の効果】
【００１０】
ブラシを有するヘッド部を握持部（柄部）に対して回動可能にし、該ヘッド部を歯列の上面に沿って移動可能としたので、歯列に沿って歯牙を清掃する場合等において、歯牙の上面、前面（頬側）、及び、後面（舌側）を同時に、かつ、歯ブラシを持ち替える必要なく歯列に沿って歯列全体を清掃することができる。更には、歯ブラシで清掃する前や清掃しながら蒸気（スチーム）を出すことにより、口腔内が乾燥している場合等に、適度な湿り気を与えることができ、更には、温かい蒸気（スチーム）を出すことにより血行を良くして口腔内疾患の回復を促し、更には、歯肉の緊張を緩めて歯周ポケット内の清掃をしやすくすることができる。
【発明を実施するための最良の形態】
【００１１】
図１は、本発明による歯ブラシの一例を説明するための要部断面図で、本質的には、図３及び図４に示した歯ブラシと同じで、唯一、通孔１５に連通する外気吸入孔１７を有する点で相違している。
【００１２】
図１において、１０は歯ブラシ、１１は握持部（柄部）、１２はヘッド部（植毛部）で、図３及び図４を参照して説明したように、握持部１１とヘッド部１２は着脱可能であり、かつ、ヘッド部１２は握持部１１に対し回動可能となっている。具体的には、握持部（柄部）１１はその先端部１１ａにおいて略直角に曲げられ、この直角に曲げられた部分１１ａの軸方向にヘッド部１２を取り付けるための連結穴１１ｂが設けられており、この連結穴１１ｂに、ヘッド部１２に設けられた連結軸１２ａが着脱自在に挿入され、Ｏリング１３によって脱落しないように装着され、これによって、ヘッド部１２は握持部１１に対して着脱自在にかつ回動可能に取り付けられる。
【００１３】
ヘッド部１２は、歯牙２０の上に配置される上板１２1と、該上板１２1の前後において、歯牙２０を挟むように配置された前後板１２2、１２3（前板１２2が頬側、後板１２3が舌側）とから成り、これら上板１２1及び前後板１２2、１２3の内側には、それぞれブラシ１４1、１４2、１４3が植毛されており、これらブラシ１４1、１４2、１４3がそれぞれ歯牙２０の上面、前面（頬側）、及び、後面（舌側）に接触して、歯牙２０の表面を清掃する。ヘッド部１２は、上板１２1及び前後板１２2、１２3により、略コの字状に形成され、下部及び両側部が開口しており、従って、上板１２1及び前後板１２2、１２3によって、歯牙２０を上方及び前後の３方から覆いながら、歯列に沿って移動することが可能であり、歯列に沿って移動する時に、ヘッド部１２が歯ブラシの移動に従って回動するので、歯列全体について、握持部１１を持ち替えることなく清掃することができる。
【００１４】
１５は握持部（柄部）１１に設けられた通孔、１６はヘッド部１２の連結軸１２ａ及び上板１２1、前後板１２2、１２3等に設けられた通孔で、本発明においては、これら通孔１５，１６を通して歯牙に蒸気を噴射することができるようになっている。１７は握持部１１に設けられた通孔１５に連通する外気吸入孔で、該外気吸入孔１７は、使用時、該外気吸入孔１７を指で塞ぐ等してその開口度を調節して通孔１５に導入する外気の量を調整してブラシ部から噴射される蒸気の温度を例えば約４０℃位に調整するものである。なお、この外気吸入孔１７は、必ずしも必要なものではなく、また、開口度を調整しなくてはならないものではなく、例えば、握持部（柄部）の指の届かない先端側に設けてもよい。
【００１５】
図２は、図１に示した歯ブラシの使用状態の一例を示す概略構成図で、図中、４０は歯ブラシ装置本体部で、該歯ブラシ装置本体部４０内には、周知のボイラー（加熱器）４１が設けられており、該ボイラーによって発生された蒸気（スチーム）が蒸気供給ホース（保温ホース）５０を通して歯ブラシ１０に連結されている。なお、保温ホース５０は、歯ブラシ１０及び歯ブラシ装置本体４０に対して着脱自在に或いは一体的に連結されている。
【００１６】
ボイラー４１は、例えば、水道水等が供給されるボトル、該ボトル内の水道水を加熱して蒸気を生成するためのヒータ、発生した蒸気（スチーム）の圧力を調整する圧力調整弁、発生した蒸気の送給を制御する電磁弁、発生した蒸気の送給量を調整するための蒸気送給ポンプ、前記ヒータや電磁弁をオン、オフ制御するスイッチや蒸気の送給量を調整する調整ボリュームを備えた操作パネル等、蒸気を発生し、かつ、安全に送給するために必要とされる種々の機能を有している。
【００１７】
上述のように、本発明によると、歯ブラシ装置本体部４０のボイラー部４１で発生された蒸気は、電磁弁の開放によって、前記保温ホース５０を通して歯ブラシ１０に伝送され、該歯ブラシ１０のヘッド部（植毛部）１２から歯牙２０の上面及び前後面に向けて放出され、口腔内を湿潤させる。特に、口腔内が乾燥している場合等においては、歯ブラシで清掃する前や清掃中に蒸気を出すことにより、口腔内に適度の湿り気を与えることができる。また、温かい蒸気を与えるので血行を良くして口腔内疾患の回復を促すことができ、更には、歯肉の緊張を緩めるので歯周ポケット内の清掃がしやすくなる。
【図面の簡単な説明】
【００１８】
【図１】本発明による蒸気噴射機能付き歯ブラシの一例を説明するための要部断面図である。
【図２】本発明による歯ブラシ装置の一使用例を説明するための全体構成図である。
【図３】本出願人が先に提案した歯ブラシを握持部とブラシ部に分解して示す斜視図である。
【図４】図３に示した歯ブラシの要部断面図である。
【図５】図３，図４に示した歯ブラシの使用状態の一例を示す図である。
【符号の説明】
【００１９】
１０…歯ブラシ、１１…握持部（柄部）、１１ａ…先端部、１１ｂ…連結穴、１２…ヘッド部、１２1…上板、１２2…前板、１２3…後板、１２ａ…連結軸、１３…Ｏリング、１４1，１４2，１４3…ブラシ、１５，１６…通孔、１７…外気吸入孔、２０…歯牙（歯列）、３０…装置本体、３１…洗浄水ボトル、３２…ホース、４０…歯ブラシ装置本体、４１…ボイラー、５０…蒸気送給ホース。
【図１】
2005185410.tif 000003
【図２】
2005185410.tif 000004
【図３】
2005185410.tif 000005
【図４】
2005185410.tif 000006
【図５】
2005185410.tif 000007